(57)【要約】【課題】商品についての相当量の情報が提供できるとともに、簡単に着脱自在に取付けることができる表示部を備えた商品陳列棚を提供する。【解決手段】左右の支柱２の前面に、棚板支持用ブラケット４を取付け、各ブラケット４をもって棚板５を支持するとともに、各ブラケット４の前部に表示板支持部材６を吊支し、この表示板支持部材６をもって表示板７を支持させたことを特徴とする商品陳列装置とする。【選択図】        図２
2004187908.tif 000002
【特許請求の範囲】
【請求項１】
左右の支柱の前面に、棚板支持用ブラケットを取付け、各ブラケットをもって棚板を支持するとともに、各ブラケットの前部に表示板支持部材を吊支し、この表示板支持部材をもって表示板を支持させたことを特徴とする商品陳列装置。
【請求項２】
前記表示板支持部材の左右両端部に上向片を形成し、この上向片の上端に形成した内向係止片を、ブラケットの上縁に着脱自在に係止することによって、表示板支持部材をブラケットに吊支させたことを特徴とする請求項１記載の商品陳列装置。
【請求項３】
前記棚板の前縁端面に、名札差を構成する、前端に上向縁部を有する下向支持片を設けるとともに、前記表示板支持部材の上面前部に上向係止片を設け、この上向係止片を、棚板の前縁端面と前記下向支持片との間に形成される間隙内に挿着させたことを特徴とする請求項２記載の商品陳列装置。
【請求項４】
前記表示板支持部材を、側面視において、ほぼ横向Ｌ字状のものとなし、上面板の左右両端部に前記上向片を、上面板の前部に前記上向係止片を、それぞれ設けたことを特徴とする請求項２または３に記載の商品陳列装置。
【請求項５】
前記表示板支持部材における上面板の前端に、下向きに前面板を連設し、この前面板における前面の上下縁に対向する表示板押さえ部を設け、これら前面板と表示板押さえ部によって表示板支持部を形成したことを特徴とする請求項４記載の商品陳列装置。
【請求項６】
前記表示板支持部における前面板に、指先を挿通し得る前後方向の貫通孔を設けたことを特徴とする請求項５記載の商品陳列装置。
【発明の詳細な説明】
【０００１】
【発明の属する技術分野】
本発明は、商品を陳列する商品陳列装置に関し、特に陳列した商品についての情報を相当量表示して提供することのできる表示板を備えた商品陳列装置に関する。
【０００２】
【従来の技術】
商品陳列装置においては、一般に棚板の前縁端面に、名札差を設け、商品の特徴や価格を表示することが行われている（たとえば、特許文献１参照）。
【０００３】
また、棚の最上部に表示部を設けたものも提案されている（たとえば、特許文献２参照）。
しかし、前者は、名札差によって支持される名札の表示面積が小さいため、少量の情報しか提供することができない。
また、後者も、棚の最上部にだけ表示部を設けるものであり、複数の棚板に陳列された商品と、前記表示部に表示された情報との対応関係が分かり難いばかりでなく、棚の段数が多くなると、個々の商品についての提供し得る情報量も限られてくる。
【０００４】
【特許文献１】
特開２００２−２０９６８５号公報（「発明の実施の形態」の項、および図１）
【特許文献２】
特許第３１１４０９４号公報（「発明の実施の形態」の項、および図１）
【０００５】
【発明が解決しようとする課題】
本発明は、上記現状に鑑み、商品についての相当量の情報が提供できるとともに、必要に応じて簡単に着脱自在に取付けることができる表示部を備えた商品陳列装置を提供することを課題とする。
【０００６】
【課題を解決するための手段】
本発明によると、上記課題は、次のようにして解決される。
(１)  左右の支柱の前面に、棚板支持用ブラケットを取付け、各ブラケットをもって棚板を支持するとともに、各ブラケットの前部に表示板支持部材を吊支し、この表示板支持部材をもって表示板を支持させたことを特徴とする商品陳列装置とする。
【０００７】
(２)  上記(１)項において、前記表示板支持部材の左右両端部に上向片を形成し、この上向片の上端に形成した内向係止片を、ブラケットの上縁に着脱自在に係止することによって、表示板支持部材をブラケットに吊支させる。
【０００８】
(３)  上記(２)項において、前記棚板の前縁端面に、名札差を構成する、前端に上向縁部を有する下向支持片を設けるとともに、前記表示板支持部材の上面前部に上向係止片を設け、この上向係止片を、棚板の前縁端面と前記下向支持片との間に形成される間隙内に挿着させる。
【０００９】
(４)  上記(２)項または(３)項において、前記表示板支持部材を、側面視において、ほぼ横向Ｌ字状のものとなし、上面板の左右両端部に前記上向片を、上面板の前部に前記上向係止片を、それぞれ設ける。
【００１０】
(５)  上記(４)項において、前記表示板支持部材における上面板の前端に、下向きに前面板を連設し、この前面板における前面の上下縁に対向する表示板押さえ部を設け、これら前面板と表示板押さえ部によって表示板支持部を形成する。
【００１１】
(６)  上記(５)項において、前記表示板支持部における前面板に、指先を挿通し得る前後方向の貫通孔を設ける。
【００１２】
【発明の実施の形態】
図１は、本発明の一実施形態を示す商品陳列装置の斜視図、図２は、要部の一部切欠分解斜視図である。
本発明の商品陳列装置(１)は、左右の支柱(２)(２)の前面に、縦方向に列設された多数の係合孔(３)の所望のものに棚板支持用ブラケット(４)を取付け、その上面に棚板(５)の両側を支持させるとともに、各ブラケット(４)の前部に表示板支持部材(６)を吊支し、この表示板支持部材(６)をもって表示板(７)を支持させてある。
【００１３】
図３は、要部の中央縦断分解側面図、図４は、同じく要部の分解正面図、図５は、同じく要部の組立時における中央縦断側面図、図６は、同じく要部の組立時における正面図である。
【００１４】
ブラケット(４)は、後端に、支柱(２)における係合孔(３)に係止させるための複数の係止部(８)が設けられ、上縁(９)の後部には、複数の係合溝(10)が凹設されている。
【００１５】
表示板支持部材(６)は、側面視において、ほぼ横向Ｌ字状をなし、上面板(11)の左右両端部に上向片(12)が形成されている。この上向片(12)の上端には、内向係止片(13)が形成され、この内向係止片(13)を、前記ブラケット(４)の上縁(９)に係止させることによって、表示板支持部材(６)は、ブラケット(４)に吊支されるようになっている。
【００１６】
表示板支持部材(６)における上面板(11)の前端には、下向きに前面板(14)が連設され、その下端は後方に折り曲げられている。
【００１７】
前面板(14)における前面の上下縁には、対向する表示板押さえ部(15)(15)が設けられ、これら前面板(14)と表示板押さえ部(15)(15)によって、表示板支持部(16)が形成されている。
【００１８】
表示板(７)は、前記前面板(14)と上下の表示板押さえ部(15)(15)間に挿入されることにより、表示板支持部(16)に支持される。
【００１９】
表示板支持部材(６)をブラケット(４)の前部に吊支させた後に、棚板(５)を、上方からブラケット(４)の上面に載置して支持させる。
【００２０】
棚板(５)は、左右に長い棚面板(17)の前後縁および左右縁が下向きに折り曲げられている。
【００２１】
棚板(５)の前縁端面(18)には、上下端に、名札を支持するための対向する支持片(20a)(20b)を有する名札差(19)が設けられている。下端に設けられた支持片(20b)は、前端に上向縁部(21)を有する下向支持片(20b)として形成されている。
【００２２】
一方、前記表示板支持部材(６)における上面板(11)の前部には、上向係止片(22)が設けられており、この上向係止片(22)は、図５に示すように、棚板(５)における前縁端面(18)と前記下向支持片(20b)との間に形成される間隙(23)内に挿着されて、表示板支持部材(６)の前後方向の位置が規制されている。
【００２３】
棚板(５)における棚面板(17)の下面後部には、両端が左右の側縁(24)の裏面に至る左右方向の下向係止片(25)が設けられており、この下向係止片(25)は、ブラケット(４)の上縁(９)に凹設された複数の係合溝(10)のうち、所望の係合溝(10)に係止され、棚板(５)の前後方向の位置が規制されている。
この場合、係合溝(10)の上端に後向突起(10a)が設けられており、この後向突起(10a)が、前記下向係止片(25)に穿設された係合孔(25a)に係止され（図５参照）、棚板(５)がブラケット(４)から上方に浮き上ることが防止されている。
【００２４】
棚面板(17)の下面前部には、左右方向のチャネル状補強材(26)が設けられている。この補強材(26)の左右両端と側縁(24)、および棚板(５)における後縁(27)の左右両端と側縁(24)との間には、それぞれ隙間(28)(29)があり、表示板支持部材(６)を前部に吊支させたブラケット(４)上に、棚板(５)における側縁(24)がブラケット(４)の左右外側に位置するようにして、上方から載置して、棚板(５)をブラケット(４)に支持させることができる。
【００２５】
表示板支持部材(６)における前面板(14)には、指先を挿通し得る前後方向の貫通孔(30)が設けられており、前面板(14)の後面側から指先を、前記貫通孔(30)を挿通させ、この指先をもって表示板(７)を後面から押圧して動かすことにより、容易に表示板(７)を表示板支持部材(６)から取り外すことができる。
【００２６】
【発明の効果】
本発明によると、次のような効果が奏せられる。
(１)  請求項１記載の発明によれば、従来、一般に、使用されている名札差によって支持される名札よりも、情報表示面積の大きい表示板を支持する部材を、ブラケットの前部に支持させたため、商品についての相当量の情報を提供することができる。
そのため、たとえば医薬品、化粧品等の効能、使用方法など多くの説明を必要とする商品の陳列装置として特に有用であり、需要者に陳列した商品についての多くの情報を提供することにより、販売促進上の効果も大きいものである。
【００２７】
(２)  請求項２記載の発明によれば、表示板支持部材を、必要に応じて、ブラケットに簡単に着脱自在に取付けることができる。
【００２８】
(３)  請求項３記載の発明によれば、表示板支持部材の前後方向の位置を規制し、表示板支持部材がブラケットから脱落することを防止することができる。
さらに、棚板の前後方向の位置を調節する際にも、棚板の位置調節にともなって、自動的に表示板支持部材の前後方向の位置が調節される。
【００２９】
(４)  請求項４記載の発明によれば、請求項２および３に記載した発明の効果が奏せられる表示板支持部材を容易に得ることができる。
【００３０】
(５)  請求項５記載の発明によれば、棚板の前縁端面に設けられる名札差が見えにくくなるなどの悪影響を与えることなく、表示板支持部を容易に形成することができるとともに、必要に応じて表示板支持部材における上面板の前端に下向に連設される前面板の上下方向の幅を所望の寸法とすることにより、所望の情報量を提供し得る表示板支持部を形成することができる。
【００３１】
(６)  請求項６記載の発明によれば、前面板の後面側から指先を貫通孔を挿通させ、この指先をもって表示板を後面から押圧して動かすことにより、表示板を、表示板支持部から容易に取り外すことができる。
【図面の簡単な説明】
【図１】本発明の一実施形態を示す商品陳列装置の斜視図である。
【図２】要部の一部切欠分解斜視図である。
【図３】同じく、要部の中央縦断分解側面図である。
【図４】同じく、要部の分解正面図である。
【図５】同じく、要部の組立時における中央縦断側面図である。
【図６】同じく、要部の組立時における正面図である。
【符号の説明】
(１)商品陳列装置
(２)支柱
(３)係合孔
(４)棚板支持用ブラケット
(５)棚板
(６)表示板支持部材
(７)表示板
(８)係止部
(９)上縁
(10)係合溝
(10a)後向突起
(11)上面板
(12)上向片
(13)内向係止片
(14)前面板
(15)表示板押さえ部
(16)表示板支持部
(17)棚面板
(18)前縁端面
(19)名札差
(20a)支持片
(20b)下向支持片
(21)上向縁部
(22)上向係止片
(23)間隙
(24)側縁
(25)下向係止片
(25a)係合孔
(26)補強材
(27)後縁
(28)(29)隙間
(30)貫通孔
【図１】
2004187908.tif 000003
【図２】
2004187908.tif 000004
【図３】
2004187908.tif 000005
【図４】
2004187908.tif 000006
【図５】
2004187908.tif 000007
【図６】
2004187908.tif 000008